(57)【要約】  安全に効率よく負荷へ給電できる非接触給電装置を提供すること。  複数の給電コイルと、直流給電部の出力電圧を交流電圧に変換し前記複数の給電コイルに印加するＤＣ／ＡＣコンバータと、前記複数の給電コイルの電磁結合可能位置に除去可能に選択的に設置され、対応する給電コイルから非接触でそれぞれ受電する複数の受電コイルと、複数の受電コイルの出力交流電圧をそれぞれ直流電圧に変換して平滑化する複数の整流平滑部と、複数の整流平滑部の直流出力を単一の負荷に接続するスイッチング素子と、各受電コイルの給電コイルからの受電を検出する受電検出センサと、全受電コイルの受電が検出されたときにスイッチング素子をオンにする制御部とを備える非接触給電装置。
2011089776.tif 000002
【特許請求の範囲】
【請求項１】
複数の給電コイルと、直流給電部の出力電圧を交流電圧に変換し前記複数の給電コイルに印加するＤＣ／ＡＣコンバータと、前記複数の給電コイルの電磁結合可能位置に除去可能に選択的に設置され、対応する給電コイルから非接触でそれぞれ受電する複数の受電コイルと、複数の受電コイルの出力交流電圧をそれぞれ直流電圧に変換して平滑化する複数の整流平滑部と、複数の整流平滑部の直流出力を単一の負荷に接続するスイッチング素子と、各受電コイルの給電コイルからの受電を検出する受電検出センサと、全受電コイルの受電が検出されたときにスイッチング素子をオンにする制御部とを備える非接触給電装置。
【請求項２】
前記受電検出センサは、給電コイルから受電コイルに誘導される電圧の有無を検出するセンサである請求項１記載の非接触給電装置。
【請求項３】
各整流平滑部と負荷との間に挿入される電流バランス用抵抗をさらに備える請求項１又は２記載の非接触給電装置。
【請求項４】
ＤＣ／ＡＣコンバータが複数の給電コイルに交流電圧を個別に印加する個別コンバータからなり、給電コイルに対して受電コイルが電磁結合可能位置に設置されたことを検出して対応する個別コンバータを駆動させる設置検出センサをさらに備える請求項１〜３のいずれか１つに記載の非接触給電装置。
【請求項５】
各給電コイルと各ＤＣ／ＡＣコンバータがソケット部に収容され、各受電コイルがプラグ部に収容され、ソケット部は建物の壁に形成された凹部内に設置され、プラグ部はその凹部内に壁の表面から離脱可能に挿入される請求項４記載の非接触給電装置。
【請求項６】
ＤＣ／ＡＣコンバータから整流平滑部に至る電力供給回路が電圧降下特性を有する請求項１又は２に記載の非接触給電装置。
【請求項７】
各給電コイルおよび各受電コイルは、給電側鉄心および受電側鉄心にそれぞれ巻回されている請求項１〜６のいずれか１つに記載の非接触給電装置。
【請求項８】
複数の給電コイルが３つの給電コイルからなり、複数の受電コイルが３つの給電コイルからなる請求項１〜７のいずれか１つに記載の非接触給電装置。
【請求項９】
複数の給電コイルが３つの給電コイルからなり、複数の受電コイルが２つの給電コイルからなる請求項１〜７のいずれか１つに記載の非接触給電装置。
【発明の詳細な説明】
【技術分野】
【０００１】
この発明は、非接触給電装置に関する。
【背景技術】
【０００２】
近年、太陽電池のような分散電源装置が普及し始めている。しかし、現状では分散電源装置で発電した直流電力が交流に変換され、電力を消費する機器において再度直流に変換されて使用される。このように、直流−交流変換及び交流−直流変換をするたびに、変換損失を生じる。そこで、分散電源が発電する直流電力を交流に変換することなく、直流電力のまま送電して機器で使用することにより、変換損失を低減させる提案がなされている。【０００３】
また、直流送電における家庭内コンセントとして、非接触給電技術が研究されている。この技術は、絶縁トランスの給電側と受電側を分離可能とし、その絶縁トランスの給電側部分をコンセントのソケット部として構成し、絶縁トランスの受電側をコンセントのプラグ部として、通電中でも安全に着脱可能なコンセントを提供するものである。【０００４】
また、家庭内の家電機器類には、エアコン、ドライヤーなど消費電力の大きい大容量機器も存在する。非接触給電技術では、給電できる電力量は、絶縁トランスの電力容量で決定される。例えば、１つの非接触給電装置で大電力（５００Ｗ以上）を供給可能にすると、絶縁トランスは大きくなる。その絶縁トランスを用いると低電力（例えば１００Ｗ以下）の供給時の効率低下は避けられない。また、小電力のみ供給可能な非接触給電装置を製作しても、大電力の機器を接続することができない。【０００５】
このような問題を解決する技術として、給電側に駆動回路および給電コイルを複数個設け、給電側の給電電流量に応じて駆動する給電コイルの個数を変更し、受電側負荷の増減による電圧変動を防止するようにした非接触給電装置が知られている（例えば、特許文献１参照）。
【先行技術文献】
【特許文献】
【０００６】
【特許文献１】特開２００５−２１０８０１号公報
【発明の概要】
【発明が解決しようとする課題】
【０００７】
ところで、従来のこのような非接触給電装置では、受電側の負荷の増減によって給電コイルの個数が変更されるので、負荷への印加電圧の変動は抑制される。しかし、受電コイルの個数や鉄心の個数までは変更されないため、低電力供給時、つまり、低負荷時には給電電力に対する鉄損（ヒステリシス損や渦電流損）の割合が大きくなり、給電効率が低下するという問題点があった。【０００８】
この発明はこのような事情を考慮してなされたもので、複数の給電コイルに対して負荷の容量に応じた数だけの受電コイルを選択的に結合させ、かつ、受電コイルの給電コイルへの電磁結合がすべて確実に行われたことを確認した上で、負荷への給電を安全に行うことが可能な非接触給電装置を提供するものである。
【課題を解決するための手段】
【０００９】
この発明は、複数の給電コイルと、直流給電部の出力電圧を交流電圧に変換し前記複数の給電コイルに印加するＤＣ／ＡＣコンバータと、前記複数の給電コイルの電磁結合可能位置に除去可能に選択的に設置され、対応する給電コイルから非接触でそれぞれ受電する複数の受電コイルと、複数の受電コイルの出力交流電圧をそれぞれ直流電圧に変換して平滑化する複数の整流平滑部と、複数の整流平滑部の直流出力を単一の負荷に接続するスイッチング素子と、各受電コイルの給電コイルからの受電を検出する受電検出センサと、全受電コイルの受電が検出されたときにスイッチング素子をオンにする制御部とを備える非接触給電装置を提供するものである。
【発明の効果】
【００１０】
この発明によれば、複数の給電コイルに対して複数の受電コイルが選択的に結合可能で、かつ、全受電コイルの給電コイルからの受電が検出されたときに全受電コイルから並列に負荷に給電されるので、負荷の容量に応じて受電コイルの数を決定すれば、それによって安全に効率よく負荷への給電が行われる。
【図面の簡単な説明】
【００１１】
【図１】この発明の第１実施形態を示す電気回路図である。
【図２】この発明の第２実施形態を示す電気回路図である。
【図３】この発明の参考例を示す電気回路図である。
【発明を実施するための形態】
【００１２】
この発明の非接触給電装置は、複数の給電コイルと、直流給電部の出力電圧を交流電圧に変換して前記複数の給電コイルに印加するＤＣ／ＡＣコンバータと、前記複数の給電コイルの電磁結合可能位置に除去可能に選択的に設置され、対応する給電コイルから非接触でそれぞれ受電する複数の受電コイルと、各受電コイルの出力交流電圧を直流電圧に変換して平滑化する整流平滑部と、各整流平滑部の直流出力を１つの負荷に接続するスイッチング素子と、各受電コイルの給電コイルからの受電を検出する受電検出センサと、全受電コイルの受電が検出されたときにスイッチング素子をオンにする制御部とを備えることを特徴とする。
【００１３】
前記受電検出センサは、給電コイルから受電コイルに誘導される電圧の有無を検出するセンサであってもよい。
各整流平滑部と負荷との間に挿入される電流バランス用抵抗をさらに備えてもよい。
ＤＣ／ＡＣコンバータが複数の給電コイルに交流電圧を個別に印加する個別コンバータからなり、給電コイルに対して受電コイルが電磁結合可能位置に設置されたことを検出して対応する個別コンバータを駆動させる設置検出センサをさらに備えてもよい。
以下、図面に示す実施形態を用いてこの発明を詳述する。
【００１４】
第１実施形態
図１は、この発明の第１実施形態の非接触給電装置の電気回路図である。図１に示すようにこの非接触給電装置は、出力電圧４００Ｖの直流給電部１と、ソケット部２ａ，２ｂ，２ｃと、プラグ部３ａ，３ｂ，３ｃと、アダプタ部４ａから構成され、消費電力６００Ｗの全自動洗濯機からなる負荷５ａに給電するようになっている。
【００１５】
ソケット部２ａは、直流給電部１から直流電圧４００Ｖをデューティ比５０％、５０ｋＨｚの交流電圧に変換するＤＣ／ＡＣコンバータ６ａと、ＤＣ／ＡＣコンバータ６ａから交流電圧を受けて対応するプラグ部３ａへ給電するための給電コイル７ａと、給電コイル７ａが巻回された給電側鉄心８ａと、ソケット部２ａにプラグ部３ａが装着され受電コイル１０ａが給電コイル７ａから受電可能状態にあることを検出する装着検出センサ９ａとを備える。
【００１６】
また、プラグ部３ａは、受電コイル１０ａと、受電コイル１０ａが巻回された受電側鉄心１１ａを備える。ソケット部２ａは建物の壁に形成された凹部内に設置され、プラグ部３ａはその凹部内に壁の表面から挿入されて離脱可能に装着されるようになっている。
【００１７】
従って、受電コイル１０ａが給電コイル７ａから受電可能状態にあるとは、ソケット部２ａとプラグ部３ａとが壁の凹部内で対向して接触し、給電コイル７ａと受電コイル１０ａとが鉄心８ａ，１１ａを介して電磁結合した状態をいう。
なお、ＡＣ／ＤＣコンバータ６ａの電力容量、および給電コイル７ａと受電コイル１０ａと給電側鉄心８ａと受電側鉄心１１ａで構成される絶縁トランスの電力容量は、それぞれ２００Ｗになるように設計されている。
【００１８】
また、ソケット部２ｂは、直流給電部１から直流電圧４００ＶをＤＣ／ＡＣコンバータ６ａと同じ交流電圧に変換するＤＣ／ＡＣコンバータ６ｂと、ＤＣ／ＡＣコンバータ６ｂから交流電圧を受けて対応するプラグ部３ｂへ給電するための給電コイル７ｂと、給電コイル７ｂが巻回された給電側鉄心８ｂと、ソケット部２ｂにプラグ部３ｂが装着され受電コイル１０ｂが給電コイル７ｂから受電可能状態にあることを検出する装着検出センサ９ｂとを備える。
また、プラグ部３ｂは、受電コイル１０ｂと、受電コイル１０ｂが巻回された受電側鉄心１１ｂを備える。ソケット部２ｂはソケット部２ａと同様に建物の壁に形成された凹部内に設置され、プラグ部３ｂはその凹部内に壁の表面から挿入されて離脱可能に装着されるようになっている。
【００１９】
従って、受電コイル１０ｂが給電コイル７ｂから受電可能状態にあるとは、ソケット部２ｂとプラグ部３ｂとが壁の凹部内で対向して接触し、給電コイル７ｂと受電コイル１０ｂとが鉄心８ｂ，１１ｂを介して電磁結合した状態をいう。
なお、ＡＣ／ＤＣコンバータ６ｂ、給電コイル７ｂおよび受電コイル１０ｂ、給電側鉄心８ｂおよび受電側鉄心１１ｂの各仕様は、それぞれＡＣ／ＤＣコンバータ６ａ、給電コイル７ａおよび受電コイル１０ａ、給電側鉄心８ａおよび受電側鉄心１１ａの仕様と同等であり、２００Ｗの電力容量を有するように設計されている。
【００２０】
また、ソケット部２ｃは、直流給電部１から直流電圧４００ＶをＤＣ／ＡＣコンバータ６ａと同じ交流電圧に変換するＤＣ／ＡＣコンバータ６ｃと、ＤＣ／ＡＣコンバータ６ｃから交流電圧を受けて対応するプラグ部３ｃへ給電するための給電コイル７ｃと、給電コイル７ｃが巻回された給電側鉄心８ｃと、ソケット部２ｃにプラグ部３ｃが装着され受電コイル１０ｃが給電コイル７ｃから受電可能状態にあることを検出する装着検出センサ９ｃとを備える。
【００２１】
また、プラグ部３ｃは、受電コイル１０ｃと、受電コイル１０ｃが巻回された受電側鉄心１１ｃを備える。ソケット部２ｃはソケット部２ａと同様に建物の壁に形成された凹部内に設置され、プラグ部３ｃはその凹部内に壁の表面から挿入されて離脱可能に装着されるようになっている。
【００２２】
従って、受電コイル１０ｃが給電コイル７ａから受電可能状態にあるとは、ソケット部２ｃとプラグ部３ｃとが壁の凹部内で対向して接触し、給電コイル７ｃと受電コイル１０ｃとが鉄心８ｃ，１１ｃを介して電磁結合した状態をいう。
【００２３】
なお、ＡＣ／ＤＣコンバータ６ｃ、給電コイル７ｃおよび受電コイル１０ｃ、給電側鉄心８ｃおよび受電側鉄心１１ｃの各仕様は、それぞれＡＣ／ＤＣコンバータ６ａ、給電コイル７ａおよび受電コイル１０ａ、給電側鉄心８ａおよび受電側鉄心１１ａの仕様と同等であり、２００Ｗの電力容量を有するように設計されている。
【００２４】
アダプタ部４ａは、プラグ部３ａの受電コイル１０ａに誘導される交流電圧を整流平滑する整流平滑部１２ａと、電流バランス用抵抗１３ａと、整流平滑部１２ａから出力される直流電圧を電流バランス用抵抗１３ａを介して負荷５ａに接続するスイッチング素子１５とを備える。
【００２５】
また、アダプタ部４ａは、プラグ部３ｂの受電コイル１０ｂに誘導される交流電圧を整流平滑する整流平滑部１２ｂと、電流バランス用抵抗１３ｂとを備え、整流平滑部１２ｂから出力される直流電圧は、電流バランス用抵抗１３ｂとスイッチング素子１５とを介して負荷５ａに接続される。
【００２６】
また、アダプタ部４ａは、プラグ部３ｃの受電コイル１０ｃに誘導される交流電圧を整流平滑する整流平滑部１２ｃと、電流バランス用抵抗１３ｃとを備え、整流平滑部１２ｃから出力される直流電圧は、電流バランス用抵抗１３ｃとスイッチング素子１５とを介して負荷５ａに接続される。
【００２７】
また、アダプタ４ａは、ソケット部２ａ，２ｂ，２ｃにプラグ部３ａ，３ｂ，３ｃが全て装着され、ＤＣ／ＡＣコンバータ６ａ，６ｂ，６ｃが駆動し、受電コイル１０ａ，１０ｂ，１０ｃのすべてが給電コイル７ａ，７ｂ，７ｃに正常に電磁結合したときに、受電コイル１０ａ，１０ｂ，１０ｃに誘導される電圧を検出してスイッチング素子１５をオンする制御部１４ａを備える。
【００２８】
このような構成における動作を説明する。
最初、プラグ部３ａ，３ｂ，３ｃのいずれもがソケット部２ａ，２ｂ，２ｃに装着されていない場合、ＤＣ／ＡＣコンバータ６ａ，６ｂ，６ｃはいずれも駆動されず、また、スイッチング素子１５はオフ状態であるため、負荷５ａへの電力供給は行われない。
【００２９】
次に、ソケット部２ａにプラグ部３ａが装着されると、それを装着検出センサ９ａが検出し、ＤＣ／ＡＣコンバータ６ａが駆動して交流電圧が給電コイル７ａに印加される。給電コイル７ａは給電側鉄心８ａと受電側鉄心１０ａを介して受電コイル１０ａと電磁結合する。それによって受電コイル１０ａに交流電圧が誘導され整流平滑部１２ａへ印加される。
【００３０】
次に、ソケット部２ｂにプラグ部３ｂが装着されると、それを装着検出センサ９ｂが検出し、ＤＣ／ＡＣコンバータ６ｂが駆動して交流電圧が給電コイル７ｂに印加される。給電コイル７ｂは給電側鉄心８ｂと受電側鉄心１０ｂを介して受電コイル１０ｂと電磁結合する。それによって受電コイル１０ｂに交流電圧が誘導され整流平滑部１２ｂへ印加される。
【００３１】
次に、ソケット部２ｃにプラグ部３ｃが装着されると、それを装着検出センサ９ｃが検出し、ＤＣ／ＡＣコンバータ６ｃが駆動して交流電圧が給電コイル７ｃに印加される。給電コイル７ｃは給電側鉄心８ｃと受電側鉄心１０ｃを介して受電コイル１０ｃと電磁結合する。それによって受電コイル１０ｃに交流電圧が誘導され整流平滑部１２ｃへ印加される。
【００３２】
制御部１４ａは、受電コイル１０ａ，１０ｂ，１０ｃの全てに電圧が誘導されたとき、スイッチング素子１５をオンさせる。それによって、整流平滑部１２ａ，１２ｂ，１２ｃの直流出力電圧は負荷５ａに印加され、整流平滑部１２ａ，１２ｂ，１２ｃから並列に負荷５ａに供給される電流は、電流バランス用抵抗１３ａ，１３ｂ，１３ｃによりほぼ均等になるように調整される。
【００３３】
このようにして、それぞれが２００Ｗの容量を有する３つの非接触コンセント、つまり、３組のソケット部２ａ／プラグ部３ａ、ソケット部２ｂ／プラグ部３ｂ、ソケット部２ｃ／プラグ部３ｃにより、６００Ｗの全自動洗濯機である負荷５ａに電力が効率よく供給される。
【００３４】
なお、ＤＣ／ＡＣコンバータ６ａから整流平滑部１２ａに至る電力供給回路、ＤＣ／ＡＣコンバータ６ｂから整流平滑部１２ｂに至る電力供給回路およびＤＣ／ＡＣコンバータ６ｃから整流平滑部１２ｃに至る電力供給回路がそれぞれ適当な電圧降下特性（出力電流が増えると出力電圧が下がる特性）を有するときには、電流バランス抵抗１３ａ，１３ｂ，１３ｃは省略することができる。
【００３５】
図２はこの発明の第２実施形態の非接触給電装置の電気回路図である。図２に示すようにこの非接触給電装置は、出力電圧４００Ｖの直流給電部１と、ソケット部２ａ，２ｂ，２ｃと、プラグ部３ａ，３ｂと、アダプタ部４ｂから構成され、消費電力４００Ｗの液晶テレビからなる負荷５ｂに給電するようになっている。
【００３６】
第２実施形態の非接触給電装置は、図１に示す非接触給電装置からプラグ部３ｃと整流平滑部１２ｃと電流バランス用抵抗１３ｃを除去し、制御部１４ａを制御部１４ｂに置換したものであり、その他の構成は図１のものと同等である。
【００３７】
制御部１４ｂは、ソケット部２ａ，２ｂにプラグ部３ａ，３ｂが装着され、ＤＣ／ＡＣコンバータ６ａ，６ｂが駆動し、受電コイル１０ａ，１０ｂの両方が給電コイル７ａ，７ｂに正常に電磁結合したときに受電コイル１０ａ，１０ｂに誘導される電圧を検出してスイッチング素子１５をオンするようになっている。
【００３８】
このような構成における動作を説明する。
最初、プラグ部３ａ，３ｂのいずれもがソケット部２ａ，２ｂ，２ｃに装着されていない場合、ＤＣ／ＡＣコンバータ６ａ，６ｂ，６ｃはいずれも駆動されず、また、スイッチング素子１５はオフ状態であるため、負荷５ｂへの電力供給は行われない。
【００３９】
次に、ソケット部２ａにプラグ部３ａが装着されると、それを装着検出センサ９ａが検出し、ＤＣ／ＡＣコンバータ６ａが駆動して交流電圧が給電コイル７ａに印加される。給電コイル７ａは給電側鉄心８ａと受電側鉄心１０ａを介して受電コイル１０ａと電磁結合する。それによって受電コイル１０ａに交流電圧が誘導され整流平滑部１２ａへ印加される。
【００４０】
次に、ソケット部２ｂにプラグ部３ｂが装着されると、それを装着検出センサ９ｂが検出し、ＤＣ／ＡＣコンバータ６ｂが駆動して交流電圧が給電コイル７ｂに印加される。給電コイル７ｂは給電側鉄心８ｂと受電側鉄心１０ｂを介して受電コイル１０ｂと電磁結合する。それによって受電コイル１０ｂに交流電圧が誘導され整流平滑部１２ｂへ印加される。
【００４１】
制御部１４ｂは、受電コイル１０ａ，１０ｂの両方に電圧が誘導されたとき、スイッチング素子１５をオンさせる。それによって、整流平滑部１２ａ，１２ｂの直流出力電圧は負荷５ｂに印加され、整流平滑部１２ａ，１２ｂから並列に負荷５ｂに供給される電流は、電流バランス用抵抗１３ａ，１３ｂによりほぼ均等になるように調整される。
【００４２】
このようにして、それぞれが２００Ｗの容量を有する２つの非接触コンセント、つまり、２組のソケット部２ａ／プラグ部３ａ、ソケット部２ｂ／プラグ部３ｂにより、４００Ｗの負荷５ｂに電力が効率よく供給される。
【００４３】
図３は、この発明の参考例を示す電気回路図であり、ソケット部２ａ，２ｂ，２ｃを有する第１および第２実施形態において、ソケット部２ａとプラグ部３ａの１組のみを用いて、消費電力２００Ｗの照明灯からなる負荷５ｃに給電する場合を示している。
【００４４】
この場合には、ソケット部２ａにプラグ部３ａが装着されると、それを装着検出センサ９ａが検知してＤＣ／ＡＣコンバータが駆動し、交流電圧が給電コイル７ａと給電コイル７ａを介して整流平滑部１２ａへ印加される。そして、整流平滑部１２ａから２００Ｗの負荷５ｃに電力が効率よく供給される。
【符号の説明】
【００４５】
１  直流給電部
２ａ，２ｂ，２ｃ  ソケット部
３ａ，３ｂ，３ｃ  プラグ部
４ａ，４ｂ，４ｃ  アダプタ部
５ａ，５ｂ，５ｃ  負荷
６ａ，６ｂ，６ｃ  ＤＣ／ＡＣコンバータ
７ａ，７ｂ，７ｃ  給電コイル
８ａ，８ｂ，８ｃ  給電側鉄心
９ａ，９ｂ，９ｃ  装着検出センサ
１０ａ，１０ｂ，１０ｃ  受電コイル
１１ａ，１１ｂ，１１ｃ  受電側鉄心
１２ａ，１２ｂ，１２ｃ  整流平滑部
１３ａ，１３ｂ，１３ｃ  電流バランス用抵抗
１４ａ，１４ｂ  制御部
１５  スイッチング素子
【図１】
2011089776.tif 000003
【図２】
2011089776.tif 000004
【図３】
2011089776.tif 000005
【手続補正書】
【提出日】平成24年8月24日(2012.8.24)
【手続補正１】
【補正対象書類名】明細書
【補正対象項目名】００１７
【補正方法】変更
【補正の内容】
【００１７】
従って、受電コイル１０ａが給電コイル７ａから受電可能状態にあるとは、ソケット部２ａとプラグ部３ａとが壁の凹部内で対向して接触し、給電コイル７ａと受電コイル１０ａとが給電側鉄心８ａと受電側鉄心１１ａとを介して電磁結合した状態をいう。
なお、ＤＣ／ＡＣコンバータ６ａの電力容量、および給電コイル７ａと受電コイル１０ａと給電側鉄心８ａと受電側鉄心１１ａで構成される絶縁トランスの電力容量は、それぞれ２００Ｗになるように設計されている。
【手続補正２】
【補正対象書類名】明細書
【補正対象項目名】００１９
【補正方法】変更
【補正の内容】
【００１９】
従って、受電コイル１０ｂが給電コイル７ｂから受電可能状態にあるとは、ソケット部２ｂとプラグ部３ｂとが壁の凹部内で対向して接触し、給電コイル７ｂと受電コイル１０ｂとが給電側鉄心８ｂと受電側鉄心１１ｂとを介して電磁結合した状態をいう。
なお、ＤＣ／ＡＣコンバータ６ｂ、給電コイル７ｂおよび受電コイル１０ｂ、給電側鉄心８ｂおよび受電側鉄心１１ｂの各仕様は、それぞれＤＣ／ＡＣコンバータ６ａ、給電コイル７ａおよび受電コイル１０ａ、給電側鉄心８ａおよび受電側鉄心１１ａの仕様と同等であり、２００Ｗの電力容量を有するように設計されている。
【手続補正３】
【補正対象書類名】明細書
【補正対象項目名】００２２
【補正方法】変更
【補正の内容】
【００２２】
従って、受電コイル１０ｃが給電コイル７ａから受電可能状態にあるとは、ソケット部２ｃとプラグ部３ｃとが壁の凹部内で対向して接触し、給電コイル７ｃと受電コイル１０ｃとが給電側鉄心８ｃと受電側鉄心１１ｃとを介して電磁結合した状態をいう。
【手続補正４】
【補正対象書類名】明細書
【補正対象項目名】００２３
【補正方法】変更
【補正の内容】
【００２３】
なお、ＤＣ／ＡＣコンバータ６ｃ、給電コイル７ｃおよび受電コイル１０ｃ、給電側鉄心８ｃおよび受電側鉄心１１ｃの各仕様は、それぞれＤＣ／ＡＣコンバータ６ａ、給電コイル７ａおよび受電コイル１０ａ、給電側鉄心８ａおよび受電側鉄心１１ａの仕様と同等であり、２００Ｗの電力容量を有するように設計されている。
【手続補正５】
【補正対象書類名】明細書
【補正対象項目名】００２９
【補正方法】変更
【補正の内容】
【００２９】
次に、ソケット部２ａにプラグ部３ａが装着されると、それを装着検出センサ９ａが検出し、ＤＣ／ＡＣコンバータ６ａが駆動して交流電圧が給電コイル７ａに印加される。給電コイル７ａは給電側鉄心８ａと受電側鉄心１１ａを介して受電コイル１０ａと電磁結合する。それによって受電コイル１０ａに交流電圧が誘導され整流平滑部１２ａへ印加される。
【手続補正６】
【補正対象書類名】明細書
【補正対象項目名】００３０
【補正方法】変更
【補正の内容】
【００３０】
次に、ソケット部２ｂにプラグ部３ｂが装着されると、それを装着検出センサ９ｂが検出し、ＤＣ／ＡＣコンバータ６ｂが駆動して交流電圧が給電コイル７ｂに印加される。給電コイル７ｂは給電側鉄心８ｂと受電側鉄心１１ｂを介して受電コイル１０ｂと電磁結合する。それによって受電コイル１０ｂに交流電圧が誘導され整流平滑部１２ｂへ印加される。
【手続補正７】
【補正対象書類名】明細書
【補正対象項目名】００３１
【補正方法】変更
【補正の内容】
【００３１】
次に、ソケット部２ｃにプラグ部３ｃが装着されると、それを装着検出センサ９ｃが検出し、ＤＣ／ＡＣコンバータ６ｃが駆動して交流電圧が給電コイル７ｃに印加される。給電コイル７ｃは給電側鉄心８ｃと受電側鉄心１１ｃを介して受電コイル１０ｃと電磁結合する。それによって受電コイル１０ｃに交流電圧が誘導され整流平滑部１２ｃへ印加される。
【手続補正８】
【補正対象書類名】明細書
【補正対象項目名】００３９
【補正方法】変更
【補正の内容】
【００３９】
次に、ソケット部２ａにプラグ部３ａが装着されると、それを装着検出センサ９ａが検出し、ＤＣ／ＡＣコンバータ６ａが駆動して交流電圧が給電コイル７ａに印加される。給電コイル７ａは給電側鉄心８ａと受電側鉄心１１ａを介して受電コイル１０ａと電磁結合する。それによって受電コイル１０ａに交流電圧が誘導され整流平滑部１２ａへ印加される。
【手続補正９】
【補正対象書類名】明細書
【補正対象項目名】００４０
【補正方法】変更
【補正の内容】
【００４０】
次に、ソケット部２ｂにプラグ部３ｂが装着されると、それを装着検出センサ９ｂが検出し、ＤＣ／ＡＣコンバータ６ｂが駆動して交流電圧が給電コイル７ｂに印加される。給電コイル７ｂは給電側鉄心８ｂと受電側鉄心１１ｂを介して受電コイル１０ｂと電磁結合する。それによって受電コイル１０ｂに交流電圧が誘導され整流平滑部１２ｂへ印加される。
【手続補正１０】
【補正対象書類名】明細書
【補正対象項目名】００４４
【補正方法】変更
【補正の内容】
【００４４】
この場合には、ソケット部２ａにプラグ部３ａが装着されると、それを装着検出センサ９ａが検知してＤＣ／ＡＣコンバータが駆動し、交流電圧が給電コイル７ａと受電コイル１０ａを介して整流平滑部１２ａへ印加される。そして、整流平滑部１２ａから２００Ｗの負荷５ｃに電力が効率よく供給される。
【国際調査報告】
2011089776.tif 000006
2011089776.tif 000007
2011089776.tif 000008
2011089776.tif 000009